(57)【要約】 【課題】   従来の身体貼付補助具は棒状またはライナー状の器具の一部に貼付式薬剤効果物などを取り付け、塗布する際には腕を高く上げて使用することになっていた。しかし、自由に腕を動かすことが出来ない人は使用不可能であった。また、見えない箇所のため希望する位置に貼り付けることが容易でない。本発明はこのような課題を解決し、腕を上げることなく所望の位置に容易に身体に粘着シートを貼ることができる身体貼付補助具を提供しようとするものである。【解決手段】  弾性体で作られた身体当て部の表面に、身体Ａへ貼り付け移動するための粘着シート３を仮止めするための仮止め部材が設けられている。そして、その仮止め部材２が身体当て部の本体表面の任意の位置に着脱自在に取り付けられていることを特徴としたことによって上記課題を解決した。【選択図】図１
2015037441.tif 000002
【特許請求の範囲】
【請求項１】
弾性体で作られた身体当て部の本体１の表面に、身体Ａへ貼り付け移動するための粘着シート３を仮止めするための仮止め部材２が設けられていることを特徴とする身体貼付補助具。
【請求項２】
前記仮止め部材が、前記身体当て部の本体表面の任意の位置に着脱自在に取付けられていることを特徴とする請求項1記載の身体貼付補助具。
【発明の詳細な説明】
【技術分野】
【０００１】
本発明は手の届かない部位にサロンパス（商標名）、貼るカイロ（商標名）等の貼付式薬剤効果物（以下被取付物）等を容易に貼ることが出来る身体貼付補助具に関するものである。          
【背景技術】
【０００２】
従来のこの種の器具は下記公知例に示すように棒状又はライナー状のものを用いて塗布出来る補助具はある。
【先行技術文献】
【特許文献】
【０００３】
【特許文献１】特開2007−126425
【特許文献２】実用新案登録第3123146号
【発明の概要】
【発明が解決しようとする課題】
【０００４】
従来の身体貼付補助具は上記特許文献１に示すような棒状の先端に粘着シートを取り付けて背中などの手の届かない場所に孫の手を使用する要領で貼り付けていた。しかし、五十肩などで腕を自由に動かすことが出来ない人には使用が困難という問題があった。また、腕が上がる人にとっても、従来の器具は棒状の先端に粘着シートを取り付けて腕を伸ばしてだいたいの感覚で塗布するしかなかった。そのため、本来塗布したい部位よりずれてしまう欠点があった。しかし、本発明はこのような課題を解決し、腕を上げたり、伸ばしたりすることなく容易に任意の位置に貼り付けることができる身体貼付補助具を提供しようすることを目標とするものである。
【課題を解決するための手段】
【０００５】
本発明は弾性体で作られた身体当て部の本体の表面に、身体への貼り付け移動するための粘着シートを仮止めするための仮止め部材が設けられていることにより、粘着シートを任意の位置に容易に貼り付けられる身体貼付補助具である。
【０００６】
前記仮止め部材は少なくとも一つの着脱自在に取付けられる粘着脱部材によって形成してもよい。
【発明の効果】
【０００７】
請求項１によれば、弾性体で作られた身体当て部の表面に、身体への貼り付け移動するための粘着シートを仮止めするための仮止め部材が設けられている身体貼付補助具である。従来の身体貼付補助具は棒状の先端に粘着シートを取り付けて腕を伸ばして目で確認できない背中などに塗布するため、本来塗布したい部位よりずれてしまう欠点があった。しかし、本発明は腕を上げることなく身体を弾性体に押し当てるだけで容易に任意の位置に貼ることを可能とした。
【０００８】
請求項２によれば、仮止め部材が身体当て部の表面の任意の位置に着脱自在に取付けられている。従って、仮止め部材の取り付け位置を利用者（使用者）が自由に決定出来、自由な方法で貼り付けることが可能なシートである。
【図面の簡単な説明】
【０００９】
【図１】弾性体本体の斜視図
【図２】弾性体本体の真横から見た図
【図３】弾性体本体に粘着シートを設置した時の図
【図４】図１の本体を床に置き、座って使用する場合の使用前の状態図
【図５】図４の使用状態図
【図６】図１を床に置き、寝転んで使用する場合の使用前の状態図
【図７】図５の使用状態時の上から見た図
【図８】図１を椅子の背もたれの部分に設置した図
【図９】図９の使用状況図
【図１０】弾性体本体の壁掛け用図
【図１１】図１０の真横から見た図
【図１２】図１０を壁に掛けた場合の使用状況図
【図１３】折りたたむ場合の図
【図１４】本体に凸凹がある場合の真横から見た図
【図１５】本体使用時の頭上から見た図
【図１６】本体を使用状態の横から見た図
【符号の説明】
【００１０】
１・・・本体
２・・・仮止め部材
３・・・粘着シート
４・・・本体を壁などに掛ける場合の紐を通す穴
５・・・紐
Ａ・・・身体
Ｂ・・・椅子
【発明を実施するための形態】
【００１１】
以下発明の一実施例を図面に基いて説明する。図１の本体１は身体貼付補助具本体を示し、使用時に身体に破線で示した粘着シート３がよりよくフィットするために弾性体のものが好ましい。まず、貼り付け位置をきめて図１に示すように肩相当部及び左右に八の字型にまた腰相当部に粘着シートの仮止め部材２を本体１の表面に取り付け、そこに図２、図３に示すように粘着シート３をセットして図４、図５に示すように身体をゆっくりと押し当てて貼り付ける。身体Ａに粘着シート３が貼りついた時、本体１から粘着シート３が一瞬で剥がれなければならないため、身体Ａへの粘着シート３の粘着力は仮止め部材２の粘着シート３への粘着力より弱くなければならないことはいうまでもない。粘着シート３は代表的なものは湿布薬である。サロンパス（商標名）、貼るカイロ（商標名）、エレキバン（商標名）などがある。
【実施例１】
【００１２】
更に詳しく説明すると、図４のように本体の前に座り、ゆっくりと上半身を本体１に倒し寝た状態になったのが図５である。このように本体１に身体をのせ、起き上がると、粘着シート３が身体に貼りつく仕組みになる。従来の身体貼付補助具は棒状やライナー状の一部に取り付け腕を上げ見えない背中などに塗布した任意の位置に貼り付けることが出来ないことや、腕が上がりにくい高齢者には使用することが出来ないという欠点があった。しかし、この発明は腕を上げることなく容易に使用できる。粘着シート仮止め部材２を所定の位置に決めて置けば毎回同じ位置に貼り付けることが出来る。
【実施例２】
【００１３】
図６は、身体の横に図１の本体１を置き、身体をコロリと本体１の上にのせることにより図４と同様に容易に貼ることが出来る方法を示したものである。図７は図４、図６の使用した場合の上から見た図である。
【実施例３】
【００１４】
また、図１の本体１を図８のように椅子Ｂの背もたれの部分に設置し、図９のように椅子Ｂの背にもたれることにより容易に貼ることが出来る。
【実施例４】
【００１５】
図１０、図１１は本体１に穴４をあけ、紐を通し図１２のように壁などに吊るして使用出来るようにするものである。まず、使用する本人の背中の高さに合わせ壁などに本体１を吊るし、粘着シート３の粘着力のない面を仮止め部材２に仮止め、固定した後、身体本体１にゆっくりと押し当てることにより、仮止め部材２から粘着シート３が剥がれ身体Ａの背中に貼ることができる。
【実施例５】
【００１６】
更に改善した例を示すと、図示しないが、本体１の表面に一般的なコリを取る背中の壺など書き込んでおけば、粘着シート３をお好みの壺に仮止め部材２を取り付けセットし、治療目的だけではなく、健康のために使用することが可能である。
【実施例６】
【００１７】
また、温湿布の場合は、身体を効率よく温めるため上記と同様本体１の表面に温めの壺を書き込んでおくことにより、粘着シート３温湿布などをお好みの壺に仮止め部材２を取り付けセットし、治療目的だけではなく、健康のために使用することが可能である。
（その他の変形例）
【００１８】
上記の例では部分的に貼付したが、これを本体１の全面を仮止め部材としても良い。この場合この仮止め部材は本体１と別の構成としても良いし、または、本体１の表面に粘着材を塗布したものも含むものとする。
【００１９】
更に仮止め部材を別部材として着脱自在にしても良い。その場合、仮止め部材は少なくとも一つあれば良い。
【００２０】
本体１を図１３に示すようにマットレスのように折りたたみ自在とすれば、コンパクトになり、旅先などに容易に持ち運ぶことが可能になる。
【００２１】
この発明を必要としている使用者のほとんどは医療などの治療のため本発明を使用するため、身体に痛みがある使用者の気分が少しでも明るくなる効果を目的とするために、本体１をカラフルな明るい色やポップな柄などにするほうが、色・柄の効果によって元気な気持ちになる効果が期待できる。
【００２２】
本体１の形は図１で示すように長方形などの形ではなく、動物型やハート型など様々なものでも良い。使用後は部屋に置いていても邪魔にならず、むしろインテリアの一部として楽しむことが出来る。
【００２３】
本体１の表面は図１で示した平面だけでなく図１４に示すように本体１に身体の凹凸に沿って曲線をつけることにより図１５に示すように肩部の側部に貼り付ける時に身体の凹凸により良くフィットし、図１６のように腰やでん部の身体の平面部だけでなく、丸くなっている部分にも容易に塗布することが出来る。
【００２４】
以上述べたように本体の形状や材質はその使用目的や使用方法によって適宜工夫すればよく、より粘着シートが適路に貼られるようにする工夫は本発明に含まれるものとする。
【図１】
2015037441.tif 000003
【図２】
2015037441.tif 000004
【図３】
2015037441.tif 000005
【図４】
2015037441.tif 000006
【図５】
2015037441.tif 000007
【図６】
2015037441.tif 000008
【図７】
2015037441.tif 000009
【図８】
2015037441.tif 000010
【図９】
2015037441.tif 000011
【図１０】
2015037441.tif 000012
【図１１】
2015037441.tif 000013
【図１２】
2015037441.tif 000014
【図１３】
2015037441.tif 000015
【図１４】
2015037441.tif 000016
【図１５】
2015037441.tif 000017
【図１６】
2015037441.tif 000018
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
弾性体で作られた身体当て部の本体１の表面に、身体Ａへ貼り付け移動するための粘着シート３を仮止めするための仮止め部材２が設けられていることを特徴とする身体貼付補助具。
【請求項２】
前記仮止め部材が、前記身体当て部の本体表面の任意の位置に着脱自在に取付けられていることを特徴とする請求項1記載の身体貼付補助具。
【請求項３】
前記身体当て部の本体１の大きさを、ほぼ成人の体格の大きさ相当のしたことを特徴とする請求項１又は請求項２記載の身体貼付補助具。
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
弾性体で作られたほぼ成人の体格の大きさの身体当て部の本体１の表面に、身体Ａへ貼り付け移動するための粘着シート３を仮止めするための仮止め部材２を設け、仮止め部材２は、粘着により、前記身体当て部の本体表面の任意の位置に着脱自在に取付けることができ、仮止め部材２は、粘着により、粘着シート３を仮止めでき、身体Ａに粘着シート３が貼りついた時、本体１から粘着シート３が一瞬で剥がれなければならないため、身体Ａへの粘着シート３の粘着力は仮止め部材２の粘着シート３への粘着力より弱くすることにより、仮止め部材の取り付け位置を利用者が自由に決定出来ることにより、粘着シートの身体への貼り付け移動できるようにしたことを特徴とする身体貼付補助具。
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
弾性体で作られたほぼ成人の体格の大きさの身体当て部の本体１の表面に、身体Ａへ貼り付け移動するための粘着シート３を仮止めするための仮止め部材２を設け、仮止め部材２は、粘着により、前記身体当て部の本体表面の任意の位置に着脱自在に取付けることができ、仮止め部材２は、粘着により、粘着シート３を仮止めでき、身体Ａに粘着シート３が貼りついた時、本体１から粘着シート３が一瞬で剥がれなければならないため、身体Ａへの粘着シート３の粘着力は仮止め部材２の粘着シート３への粘着力より強くすることにより、粘着シートの身体への貼り付け移動できるようにしたことを特徴とする身体貼付補助具。
【請求項２】
前記本体の表面に身体の凹凸に沿って曲線をつけたことを特徴とする請求項１記載の身体貼付補助具。
【手続補正２】
【補正対象書類名】明細書
【補正対象項目名】０００５
【補正方法】変更
【補正の内容】
【０００５】
本発明の課題を解決するために、弾性体で作られたほぼ成人の体格の大きさの身体当て部の本体１の表面に、身体Ａへ貼り付け移動するための粘着シート３を仮止めするための仮止め部材２を設け、仮止め部材２は、粘着により、前記身体当て部の本体表面の任意の位置に着脱自在に取付けることができ、仮止め部材２は、粘着により、粘着シート３を仮止めでき、身体Ａに粘着シート３が貼りついた時、本体１から粘着シート３が一瞬で剥がれなければならないため、身体Ａへの粘着シート３の粘着力は仮止め部材２の粘着シート３への粘着力より強くすることにより、粘着シートの身体への貼り付け移動できるようにしたことを特徴とする身体貼付補助具を提供する。
【手続補正３】
【補正対象書類名】明細書
【補正対象項目名】０００６
【補正方法】変更
【補正の内容】
【０００６】
更に、前記本体の表面に身体の凹凸に沿って曲線をつけたことを特徴とする身体貼付補助具とすることで、より改善できる。
【手続補正４】
【補正対象書類名】明細書
【補正対象項目名】０００８
【補正方法】変更
【補正の内容】
【０００８】
また、仮止め部材が仮止め部材が身体当て部の表面の任意の位置に着脱自在に取付けられている。従って、仮止め部材の取り付け位置を利用者（使用者）が自由に決定出来、自由な方法で貼り付けることが可能なシートである。
【手続補正５】
【補正対象書類名】明細書
【補正対象項目名】００１１
【補正方法】変更
【補正の内容】
【００１１】
以下の発明の一実施例を図面に基いて説明する。図１の本体１は身体貼付補助具は本体を示し、使用時に身体に破線で示した粘着シート３がよりよくフィットするために弾性体のものが好ましい。まず、貼り付け位置をきめて図１に示すように肩相当部及び左右に八の字型にまた腰相当部に粘着シートの仮止め部材２を本体１の表面に取り付け、そこに図２、図３に示すように粘着シート３をセットして図４、図５に示すように身体をゆっくりと押し当てて貼り付ける。身体Ａに粘着シート３が貼りついた時、本体１から粘着シート３が一瞬で剥がれなければならないため、身体Ａへの粘着シート３の粘着力は仮止め部材２の粘着シート３への粘着力より強くなければならないことはいうまでもない。粘着シート３は代表的なものは湿布薬である。サロンパス（商標名）、貼るカイロ（商標名）、エレキバン（商標名）、などがある。
【手続補正６】
【補正対象書類名】明細書
【補正対象項目名】００１５
【補正方法】変更
【補正の内容】
【００１５】
図１０、図１１はほぼ成人の体格の大きさの身体当て部の本体１に穴４をあけ、紐を通し図１２のように壁などに吊るして使用できるようにするものである。まず、使用する本人の背中の高さに合わせ壁などに本体１を吊るし、粘着シート３の粘着力のない面を仮止め部材２に仮止め、固定した後、身体を本体１にゆっくりと押し当てることにより、仮止め部材２から粘着シート３が剥がれ身体Ａの背中に貼ることができる。